(57)【要約】【課題】処理工数を減らすことが可能な前処理制御装置、前処理制御方法、及びプログラムを提供する。【解決手段】前処理制御装置は、処理媒体を識別可能な識別情報を取得する（Ｓ１）。前処理制御装置は、取得された識別情報に基づく前処理指示を、処理媒体に対し前処理を行う前処理装置に送信する（Ｓ１３）。前処理制御装置は、識別情報に基づく印刷データを、処理媒体に対し印刷を行う印刷装置に送信させる送信指示をサーバに送信する（Ｓ３）。これにより、前処理制御装置は、一度の識別情報の取得により前処理指示及び特定印刷データを送信させることができる。故に、別々の情報の取得により前処理指示及び特定印刷データが送信される場合と比較して、処理工数が減る。【選択図】図５
2019179537.tif 000002
【特許請求の範囲】
【請求項１】
処理媒体を識別可能な識別情報を取得する取得部と、
前記処理媒体に対し前処理を行う前処理部に、前記取得部により取得された前記識別情報に基づく前処理指示を送信する第一送信部と、
一又は複数の印刷データを記憶する記憶装置に、前記識別情報に基づく特定印刷データの送信指示を送信する第二送信部と、
を備えることを特徴とする前処理制御装置。
【請求項２】
前記第二送信部は、前記前処理部が前記前処理を完了する前に、前記送信指示を送信することを特徴とする請求項１に記載の前処理制御装置。
【請求項３】
前記取得部は、前記前処理を実施するか否かを示す情報を含む前記識別情報を取得し、
前記前処理を実施するか否かを示す前記情報を含む前記識別情報に基づき前記前処理が実施されない場合、前記第一送信部は、前記前処理を実施しないことを示す前記前処理指示を送信することを特徴とする請求項１又は２に記載の前処理制御装置。
【請求項４】
前記前処理を実施しない場合、表示装置に前記前処理を実施しない旨を表示させる表示制御部を更に備えることを特徴とする請求項３に記載の前処理制御装置。
【請求項５】
前記前処理制御装置は、前記処理媒体に対し印刷を行う印刷装置であることを特徴とする請求項１〜４の何れか一に記載の前処理制御装置。
【請求項６】
前記前処理制御装置は、前記前処理部を備える前処理装置であることを特徴とする請求項１〜４の何れか一に記載の前処理制御装置。
【請求項７】
前記前処理制御装置は、前記処理媒体に対し印刷を行う印刷装置及び前記前処理部を備える前処理装置と通信可能に接続されている端末装置であることを特徴とする請求項１〜４の何れか一に記載の前処理制御装置。
【請求項８】
処理媒体を識別可能な識別情報を取得する取得ステップと、
前記処理媒体に対し前処理を行う前処理部に、前記取得ステップにより取得した前記識別情報に基づく前処理指示を送信する第一送信ステップと、
一又は複数の印刷データを記憶する記憶装置に、前記識別情報に基づく特定印刷データの送信指示を送信する第二送信ステップと、
を備えることを特徴とする前処理制御方法。
【請求項９】
前処理制御装置のコンピュータに
処理媒体を識別可能な識別情報を取得する取得処理と、
前記処理媒体に対し前処理を行う前処理部に、前記取得処理により取得した前記識別情報に基づく前処理指示を送信する第一送信処理と、
一又は複数の印刷データを記憶する記憶装置に、前記識別情報に基づく特定印刷データの送信指示を送信する第二送信処理と、
を実行させることを特徴とするプログラム。
【発明の詳細な説明】
【技術分野】
【０００１】
本発明は、前処理制御装置、前処理制御方法、及びプログラムに関する。
【背景技術】
【０００２】
印刷処理の前に前処理を行う前処理装置が知られている（例えば、特許文献１参照）。特許文献１に記載のインクジェット捺染装置は、捺染実行部と前処理部とを備えている。前処理部は、捺染実行部による被捺染材へのインクの吐出に先立って、被捺染材の皺伸ばし処理を行う。また、前処理部は、被捺染材へのコート液の付着処理等の他の処理も行う。
【先行技術文献】
【特許文献】
【０００３】
【特許文献１】特開２０１３−１９０８３号公報
【発明の概要】
【発明が解決しようとする課題】
【０００４】
印刷装置が印刷処理を行う際に、例えば、印刷装置が印刷画像の印刷データをサーバ等から取得し印刷を行うことが考えられる。この場合、例えば、操作部を介して、印刷データの取得指示が印刷装置に入力される必要がある。つまり、前処理装置における前処理指示の取得処理と印刷装置における印刷データの取得処理とが別々に行われるので、処理工数が多い。
【０００５】
本発明の目的は、処理工数を減らすことが可能な前処理制御装置、前処理制御方法、及びプログラムを提供することである。
【課題を解決するための手段】
【０００６】
本発明の第一態様に係る前処理制御装置は、処理媒体を識別可能な識別情報を取得する取得部と、前記処理媒体に対し前処理を行う前処理部に、前記取得部により取得された前記識別情報に基づく前処理指示を送信する第一送信部と、一又は複数の印刷データを記憶する記憶装置に、前記識別情報に基づく特定印刷データの送信指示を送信する第二送信部と、を備える。
【０００７】
これにより、前処理制御装置は、一度の識別情報の取得により前処理指示及び特定印刷データを送信させることができる。故に、別々の情報の取得により前処理指示及び特定印刷データが送信される場合と比較して、処理工数が減る。
【０００８】
前記第二送信部は、前記前処理部が前記前処理を完了する前に、前記送信指示を送信しても良い。これにより、前処理が完了するまでに印刷装置が特定印刷データの取得を完了する可能性が高くなる。故に、前処理の完了後、印刷処理の開始までの待ち時間が生じる可能性が低くなる。
【０００９】
前記取得部は、前記前処理を実施するか否かを示す情報を含む前記識別情報を取得し、前記前処理を実施するか否かを示す前記情報を含む前記識別情報に基づき前記前処理が実施されない場合、前記第一送信部は、前記前処理を実施しないことを示す前記前処理指示を送信しても良い。これにより、前処理制御装置は、前処理装置に前処理を実施するか否かを通知できる。
【００１０】
前記前処理を実施しない場合、表示装置に前記前処理を実施しない旨を表示させる表示制御部を更に備えても良い。これにより、前処理制御装置は、前処理を実施しない場合なのに、前処理装置に処理媒体がセットされてしまう可能性を低減できる。
【００１１】
前記前処理制御装置は、前記処理媒体に対し印刷を行う印刷装置であっても良い。これにより、印刷装置は、前処理制御装置として機能し、一度の識別情報の取得により前処理指示及び特定印刷データを送信させることができる。故に、別々の情報の取得により前処理指示及び特定印刷データが送信される場合と比較して、処理工数が減る。
【００１２】
前記前処理制御装置は、前記前処理部を備える前処理装置であっても良い。これにより、前処理装置は、前処理制御装置として機能し、一度の識別情報の取得により前処理指示及び特定印刷データを送信させることができる。故に、別々の情報の取得により前処理指示及び特定印刷データが送信される場合と比較して、処理工数が減る。
【００１３】
前記前処理制御装置は、前記処理媒体に対し印刷を行う印刷装置及び前記前処理部を備える前処理装置と通信可能に接続されている端末装置であっても良い。これにより、端末装置は、前処理制御装置として機能し、一度の識別情報の取得により前処理指示及び特定印刷データを取得させることができる。故に、別々の情報の取得により前処理指示及び特定印刷データが取得される場合と比較して、処理工数が減る。
【００１４】
本発明の第二態様に係る前処理制御方法は、処理媒体を識別可能な識別情報を取得する取得ステップと、前記処理媒体に対し前処理を行う前処理部に、前記取得ステップにより取得した前記識別情報に基づく前処理指示を送信する第一送信ステップと、一又は複数の印刷データを記憶する記憶装置に、前記識別情報に基づく特定印刷データの送信指示を送信する第二送信ステップと、を備える。
【００１５】
これにより、前処理制御方法は、一度の識別情報の取得により前処理指示及び特定印刷データを送信させることがでる。故に、別々の情報の取得により前処理指示及び特定印刷データが送信される場合と比較して、処理工数が減る。
【００１６】
本発明の第三態様に係るプログラムは、前処理制御装置のコンピュータに、処理媒体を識別可能な識別情報を取得する取得処理と、前記処理媒体に対し前処理を行う前処理部に、前記取得処理により取得した前記識別情報に基づく前処理指示を送信する第一送信処理と、一又は複数の印刷データを記憶する記憶装置に、前記識別情報に基づく特定印刷データの送信指示を送信する第二送信処理と、を実行させる。
【００１７】
これにより、本プログラムを実行することで、一度の識別情報の取得により前処理指示及び特定印刷データを送信させることができる。故に、別々の情報の取得により前処理指示及び特定印刷データが送信される場合と比較して、処理工数が減る。
【図面の簡単な説明】
【００１８】
【図１】印刷装置１を含むシステムのネットワーク構成の例を示す図である。
【図２】（Ａ）は、前処理装置１０の概略的な電気的構成の第一の例を示すブロック図である。（Ｂ）は、印刷装置１の概略的な電気的構成の第一の例を示すブロック図である。
【図３】（Ａ）は、端末装置２の概略的な電気的構成の第一の例を示すブロック図である。（Ｂ）は、サーバ３の概略的な電気的構成の例を示すブロック図である。
【図４】（Ａ）は、第一テーブル８１の例を示す図である。（Ｂ）は、第二テーブル８２の例を示す図である。（Ｃ）は、第三テーブル８３の例を示す図である。
【図５】第一メイン処理のフローチャートである。
【図６】第二メイン処理のフローチャートである。
【図７】第三メイン処理のフローチャートである。
【図８】（Ａ）は、前処理装置１０の概略的な電気的構成の第二の例を示すブロック図である。（Ｂ）は、印刷装置１の概略的な電気的構成の第二の例を示すブロック図である。
【図９】第四メイン処理のフローチャートである。
【図１０】（Ａ）は、第五メイン処理のフローチャートである。（Ｂ）は、取得処理のフローチャートである。
【図１１】端末装置２の概略的な電気的構成の第二の例を示すブロック図である。
【図１２】第六メイン処理のフローチャートである。
【図１３】前処理制御装置がコードリーダを備えない構成の例を示す図である。
【発明を実施するための形態】
【００１９】
本発明の各実施形態の前処理制御装置を、図面を参照し説明する。
【００２０】
＜第一実施形態＞
第一実施形態における前処理制御装置は、後述する印刷装置１である。第一実施形態における印刷データを記憶する記憶装置は、後述するサーバ３のＨＤＤ(Hard Disc Drive)６４である。印刷装置１は、後述するコードリーダ３５により布帛等の処理媒体を識別可能な識別情報を取得し、後述する第一テーブル８１から識別情報に基づき前処理指示を取得する。印刷装置１は、識別情報を含む送信指示を、印刷データを記憶するＨＤＤ６４を有するサーバ３に送信すると共に、処理媒体に対し前処理を実施する後述する前処理装置１０に取得した前処理指示を送信する。すなわち、印刷装置１は、識別情報に基づき取得した前処理指示を送信する。従って、印刷装置１は、識別情報に基づく前処理指示を、処理媒体に対し前処理を実施する前処理装置１０に送信する。
【００２１】
布帛の材質の一例は、綿、ポリエステル、綿とポリエステルとの混合等である。識別情報は、上述した様に、処理媒体を識別可能な情報であり、処理媒体に対応付けられた前処理指示、及び印刷データを特定可能な情報である。前処理指示は、処理媒体に対する前処理の条件を示す情報であり、塗布処理情報、及び熱処理情報を含む。
【００２２】
塗布処理情報は、処理媒体に対する前処理剤の塗布処理の条件を示す情報である。前処理剤は、処理媒体に吐出されたカラーインクの定着を向上させる為の機能インクであり、一例として、ＣａＣｌ２等の金属塩を含む水溶液である。熱処理情報は、処理媒体に対する熱処理の条件を示す情報である。塗布処理情報、及び熱処理情報については、更に後述する。送信指示は、識別情報に対応する印刷データの送信を指示する情報である。印刷データは印刷装置１が処理媒体に印刷を行う為の情報である。
【００２３】
＜システム構成＞
図１に示す様に、一又は複数の印刷装置１、一又は複数の端末装置２、一又は複数の前処理装置１０、及びサーバ３は、ネットワーク４を介して互いに接続されている。ネットワーク４は、一例として、イントラネット、及びインターネット等である。また、一又は複数の印刷装置１、一又は複数の端末装置２、一又は複数の前処理装置１０、及びサーバ３は、ＵＳＢ（Universal Serial Bus）（登録商標）等のシリアルポートに接続可能なシリアルケーブルを介して、夫々接続されていても良い。更に、ネットワーク４を介した接続とシリアルケーブルを介した接続が混在していても良い。
【００２４】
＜前処理装置１０＞
前処理装置１０は、プラテン（図示略）、塗布部１８（図２（Ａ）参照）、及び熱処理部５０（図２（Ａ）参照）等を備える。プラテンは処理媒体を載置する。プラテンは、プラテンモータ１７（図２（Ａ）参照）等で構成させるプラテン搬送機構（図示略）により、塗布部１８、及び熱処理部５０に搬送される。プラテンは、上面が搬送方向に長尺な略長方形状である。プラテンモータ１７は、一例として、ステッピングモータである。塗布部１８は、複数のスプレー（図示略）を備えており、スプレーが前処理剤を噴霧することにより、処理媒体に前処理剤を塗布する。熱処理部５０は、処理媒体を高温で加圧して前処理剤を乾燥させることにより、前処理剤の処理媒体への定着を向上させ、画質を向上させる。
【００２５】
＜前処理装置１０の電気的構成＞
図２（Ａ）に示す様に、前処理装置１０は、ＣＰＵ(Central Processing Unit)１１、ＲＯＭ(Read Only Memory)１２、ＲＡＭ(Random Access Memory)１３、フラッシュメモリ１４、センサ１５、駆動回路１６，１９、塗布部１８、操作部２２、表示部２３、入出力部２４、及び通信部２５等を備え、バス２６を介して互いに接続されている。ＣＰＵ１１は、前処理装置１０を制御し、ＲＯＭ１２から各種のプログラムを読み出し、ＲＡＭ１３をワーキングメモリとして使用し、各種の処理を実行する。
【００２６】
フラッシュメモリ１４は、後述する第二テーブル８２等の各種のテーブル、及び各種のパラメータ等を記憶している。テーブルは対応情報の一例であり、本実施形態においてはテーブルを例に説明するが、対応情報の態様は任意である。また、フラッシュメモリ１４は、プラテンモータ１７のステップ数と熱処理位置、プラテンの各Ｙ座標における塗布開始位置を対応付けて記憶している。
【００２７】
プラテンのＹ軸はプラテンの搬送方向と平行である。つまり、プラテンのＹ軸は、プラテンの長尺方向と平行である。プラテンのＸ軸は、プラテンの搬送方向に水平且つ直交する方向と平行である。つまり、プラテンのＸ軸は、プラテンの短尺方向と平行である。
【００２８】
センサ１５は、透過センサ等の位置検出用のセンサであり、プラテンのセット位置を検出可能な位置に配置されている。センサ１５は、セット位置を検出可能であれば、機械式、光学式の何れかの位置検出用のセンサを用いることができる。セット位置は、処理媒体をプラテンに載置する位置である。
【００２９】
駆動回路１６は、プラテンモータ１７に接続しており、ＣＰＵ１１の制御の下、プラテンモータ１７を駆動する。駆動回路１９は、プレスモータ２０に接続しており、ＣＰＵ１１の制御の下、プレスモータ２０を駆動する。本実施形態においては、センサ１５とプラテンモータ１７との組み合わせにより、検出部２７が構成される。本実施形態においては、上述した様に、プラテンモータ１７は、ステッピングモータである。フラッシュメモリ１４は、プラテンモータ１７のステップ数と熱処理位置、プラテンの各Ｙ座標における塗布開始位置を対応付けて記憶している。故に、セット位置からのステップ数により、検出部２７は、プラテンの各Ｙ座標における塗布開始位置、熱処理位置を夫々検出できる。また、検出部２７は、塗布範囲の塗布終了位置を検出できる。
【００３０】
操作部２２は、操作パネル等を備えている。操作パネルは、例えば、ボタン等を備えている。従って、作業者は、操作部２２を介して、所望の指示を前処理装置１０に与えることができる。表示部２３は、周知のディスプレイ装置等で構成される。表示部２３は、タッチパネル（図示略）を備え、操作部２２としても機能しても良い。入出力部２４は、ＳＤ(Secure Digital)メモリカードスロット、及びＵＳＢ(Universal Serial Bus)（登録商標）ポートや他の規格のシリアルポート等を備えている。
【００３１】
通信部２５は、無線モジュール（図示略）と有線モジュール（図示略）の内の少なくとも一方を有し、印刷装置１、端末装置２、及びサーバ３とネットワーク４を介して相互に通信可能である。前処理装置１０は、通信部２５に代えて、ＵＳＢポートに接続可能な無線モジュールにより、印刷装置１、端末装置２、及びサーバ３とネットワーク４を介して接続されても良い。
【００３２】
＜印刷装置１の電気的構成＞
図２（Ｂ）に示す様に、印刷装置１は、ＣＰＵ３１、ＲＯＭ３２、ＲＡＭ３３、記憶装置３４、コードリーダ３５、操作部３６、表示部３７、入出力部３８、通信部３９、駆動回路４１〜４４等を備え、バスを介して互いに接続されている。ＣＰＵ３１は、印刷装置１を制御し、ＲＯＭ３２から各種のプログラムを読み出し、ＲＡＭ３３をワーキングメモリとして使用し、各種の処理を実行する。例えば、ＣＰＵ３１は、第一メイン処理プログラムをＲＯＭ３２から読み出して、後述する第一メイン処理を実行する。記憶装置３４は、フラッシュメモリ、ＨＤＤ等の不揮発性の記憶装置である。記憶装置３４は、後述する第一テーブル８１等の各種のテーブル、及び各種のパラメータ等を記憶している。
【００３３】
コードリーダ３５は、布帛等の処理媒体に付されたバーコード等の一次元コード、ＱＲコード（登録商標）等の二次元、及び三次元等のコードの情報を読み取り、ＣＰＵ３１に入力する。一次元コード等のコードの情報は、布帛等の処理媒体に関連付けられた識別情報である。
【００３４】
操作部３６、操作パネル等（図示略）を備えている。操作パネルは、例えば、ボタン等を備えている。従って、操作部３６を介して、作業者の指示がＣＰＵ３１に入力される。また、作業者は、布帛等の処理媒体に付されたコードがバーコードである場合には、バーコートに併記されている数字列を、操作部３６を介して入力しても良い。表示部３７は、周知のディスプレイ装置等で構成される。表示部３７は、タッチパネル（図示略）を備え、操作部３６として機能しても良い。入出力部３８は、ＳＤメモリカードスロット、及びＵＳＢポートや他の規格のシリアルポート等を備えている。
【００３５】
通信部３９は、無線モジュール（図示略）と有線モジュール（図示略）の内の少なくとも一方を有し、前処理装置１０、端末装置２、及びサーバ３とネットワーク４を介して相互に通信可能である。印刷装置１は、通信部３９に代えて、ＵＳＢポートに接続可能な無線モジュールにより、前処理装置１０、端末装置２、及びサーバ３とネットワーク４を介して接続されても良い。
【００３６】
駆動回路４１は、第一ヘッド４５に接続しており、ＣＰＵ３１の制御の下、第一ヘッド４５の各ノズル（図示略）からカラーインクの液滴を吐出する。駆動回路４２は、第二ヘッド４６に接続しており、ＣＰＵ３１の制御の下、第二ヘッド４６の各ノズル（図示略）から白色インクの液滴を吐出する。駆動回路４３は、キャリッジモータ４７に接続しており、ＣＰＵ３１の制御の下、キャリッジモータ４７を駆動する。駆動回路４４は、プラテンモータ４８に接続しており、ＣＰＵ３１の制御の下、プラテンモータ４８を駆動する。
【００３７】
＜端末装置２の電気的構成＞
端末装置２は、例えば、ＰＣ（Personal Computer）、タブレット、高機能携帯電話等である。図３（Ａ）に示す様に、端末装置２は、ＣＰＵ５１、ＲＯＭ５２、ＲＡＭ５３、記憶装置５４、操作部５５、表示部５６、入出力部５７、及び通信部５８等を備え、バス５９を介して互いに接続されている。ＣＰＵ５１は、端末装置２を制御し、記憶装置５４から各種のプログラムを読み出し、ＲＡＭ５３をワーキングメモリとして使用して各種の処理を実行する。記憶装置５４は、各種のプログラム、及び各種の情報等を記憶する。記憶装置５４は、一例として、ＨＤＤ、及びフラッシュメモリ等の不揮発性の記憶装置である。
【００３８】
操作部５５、キーボード（図示略）、又は操作パネル（タッチパネルを含む）等を備えている。キーボード、又は操作パネルは、例えば、ボタン等を備えている。従って、操作部５５を介して、作業者の指示がＣＰＵ５１に入力される。表示部５６は、周知のディスプレイ装置等で構成される。表示部５６は、タッチパネル（図示略）を備え、操作部５５として機能しても良い。入出力部５７は、ＳＤメモリカードスロット、及びＵＳＢポートや他の規格のシリアルポート等を備えている。
【００３９】
通信部５８は、無線モジュール（図示略）と有線モジュール（図示略）の内の少なくとも一方を有し、前処理装置１０、印刷装置１、及びサーバ３とネットワーク４を介して相互に通信可能である。端末装置２は、通信部５８に代えて、ＵＳＢポートに接続可能な無線モジュールにより、前処理装置１０、印刷装置１、及びサーバ３とネットワーク４を介して接続されても良い。
【００４０】
＜サーバ３の電気的構成＞
図３（Ｂ）が示す様に、サーバ３は、ＣＰＵ６１、ＲＯＭ６２、ＲＡＭ６３、ＨＤＤ６４、入出力部６５、及び通信部６６等を備え、バス６７を介して互いに接続されている。ＣＰＵ６１は、サーバ３を制御し、ＨＤＤ６４から各種のプログラムを読み出し、ＲＡＭ６３をワーキングメモリとして使用して各種の処理を実行する。ＨＤＤ６４は、後述する第三テーブル８３等の各種のテーブル、各種のプログラム、及び各種の情報等を記憶する。
【００４１】
通信部６６は、無線モジュール（図示略）と有線モジュール（図示略）の内の少なくとも一方を有し、前処理装置１０、印刷装置１、及び端末装置２とネットワーク４を介して相互に通信可能である。サーバ３は、通信部６６に代えて、ＵＳＢポートに接続可能な無線モジュールにより、前処理装置１０、印刷装置１、及び端末装置２とネットワーク４を介して接続されても良い。
【００４２】
＜第一テーブル８１＞
図４（Ａ）に示す様に、第一テーブル８１は、識別情報と前処理指示とが対応付けられたテーブルである。第一テーブル８１は、上述した様に、本実施形態においては印刷装置１の記憶装置３４が記憶している。前処理指示は、上述した様に、塗布処理に関する塗布処理情報と熱処理に関する熱処理情報とが有る。塗布処理情報は、図４（Ａ）の例では、単位面積当たりの塗布量（ｍｇ／ｃｍ２）、塗布範囲、及び前処理剤の種類である。単位面積当たりの塗布量（ｍｇ／ｃｍ２）は、前処理剤の単位面積当たりの塗布量（ｍｇ／ｃｍ２）を示す情報である。塗布範囲は、前処理剤を塗布する範囲を示す情報である。前処理剤の種類は、前処理剤の種類を示す情報である。
【００４３】
熱処理情報は、図４（Ａ）の例では、熱処理圧力（Ｎ／ｃｍ２）、熱処理時間（ｓｅｃ）、熱処理温度（℃）、熱処理範囲、及び熱処理回数である。熱処理圧力（Ｎ／ｃｍ２）は、熱処理部５０がヒートプレス、又はヒートローラ等、熱処理の対象である処理媒体に圧力を加える場合における、熱処理の際に加える圧力の値である。従って、熱処理部５０が近赤外線ヒータ、又は送風装置等、処理媒体に非接触の場合には、ヌル（―）が設定されている。熱処理時間（ｓｅｃ）は熱処理を行う時間である。熱処理温度（℃）は熱処理の温度である。熱処理範囲は、熱処理を行う範囲である。熱処理回数は、設定されている熱処理時間（ｓｅｃ）の熱処理を繰り返す回数である。
【００４４】
＜第二テーブル８２＞
図４（Ｂ）に示す様に、第二テーブル８２は、塗布部１８が備えるスプレー毎にプラテンのＸ軸方向の塗布区間が対応付けられているテーブルである。第二テーブル８２は、上述した様に、前処理装置１０のフラッシュメモリ１４が記憶している。図４（Ｂ）に示す第二テーブル８２は、スプレーの数が七個の場合の例である。例えば、スプレー（３）の塗布区間は[ｂ，ｃ]である。つまり、スプレー（３）は、塗布区間[ｂ，ｃ]に噴霧出来る。
【００４５】
＜第三テーブル８３＞
図４（Ｃ）に示す様に、第三テーブル８３は、識別情報と印刷データとを対応付けたテーブルである。第三テーブル８３は、上述した様に、本実施形態においてはサーバ３のＨＤＤ６４が記憶している。
【００４６】
＜第一メイン処理＞
図５を参照し、第一メイン処理の流れを説明する。印刷装置１のＣＰＵ３１は、ＲＯＭ３２から第一メイン処理プログラムを読み出し、ＲＡＭ３３をワーキングメモリとして使用し、第一メイン処理を実行する。第一メイン処理は、例えば、印刷装置１の電源がＯＮになったことをトリガとして開始される。
【００４７】
ＣＰＵ３１は、識別情報を取得したか判定する（Ｓ１）。具体的には、コードリーダ３５により読み取られた処理媒体の識別情報がＣＰＵ３１に入力されたか判定することにより、ＣＰＵ３１は、識別情報を取得したか判定する。ＣＰＵ３１は、識別情報を取得していないと判定した場合には（Ｓ１：ＮＯ）、Ｓ１の処理を繰り返す。
【００４８】
ＣＰＵ３１は、識別情報を取得したと判定した場合には（Ｓ１：ＹＥＳ）、例えば、通信部３９を介して、取得した識別情報を含む送信指示をサーバ３に送信する（Ｓ３）。送信指示を受信したサーバ３は、第三テーブル８３の識別情報欄をトレースし、送信指示に含まれる識別情報と一致する識別情報を特定する。サーバ３は、第三テーブル８３において特定した識別情報と対応する印刷データを特定する。サーバ３は、特定した印刷データを、送信指示を送信した印刷装置１に返信する。
【００４９】
ＣＰＵ３１は、取得した識別情報に基づき前処理指示を特定する（Ｓ５）。具体的には、ＣＰＵ３１は、第一テーブル８１の識別情報欄をトレースし、取得した識別情報と一致する識別情報を特定する。ＣＰＵ３１は、第一テーブル８１に基づき、特定した識別情報に対応する前処理指示を特定する。
【００５０】
ＣＰＵ３１は、第一テーブル８１から特定した前処理指示を取得する（Ｓ７）。ＣＰＵ３１は、取得した識別情報が不実施指示を含んでいるか判定する（Ｓ９）。不実施指示は、前処理の不実施を指示する情報である。ＣＰＵ３１は、不実施指示を含んでいると判定した場合には（Ｓ９：ＹＥＳ）、例えば、通信部３９を介して、ネットワーク４を介して接続されている端末装置２又は前処理装置１０に不実施情報を送信する（Ｓ１１）。不実施情報は、前処理を不実施する旨を示す情報である。不実施情報を受信した端末装置２又は前処理装置１０は、表示部に前処理を実施しない旨を表示する。ＣＰＵ３１は、不実施指示を含む前処理指示を処理媒体に対し前処理を実施する前処理装置１０に送信する（Ｓ１２）。不実施指示を含む前処理指示を受信した前処理装置１０は、不実施指示に従って、前処理を実施しない。ＣＰＵ３１は、Ｓ１３の処理に進む。
【００５１】
ＣＰＵ３１は、不実施指示を含んでいないと判定した場合には（Ｓ９：ＮＯ）、例えば、通信部３９を介して、不実施指示を含まない前処理指示を処理媒体に対し前処理を実施する前処理装置１０に送信する（Ｓ１３）。
【００５２】
ＣＰＵ３１は、Ｓ３の処理で、印刷データの送信を指示する送信指示をサーバ３に送信しているので、印刷データを受信したか判定する（Ｓ１５）。具体的には、通信部３９から印刷データがＣＰＵ３１に入力されたか判定することにより、ＣＰＵ３１は、印刷データを受信したか判定する。ＣＰＵ３１は、印刷データを受信していないと判定した場合には（Ｓ１５：ＮＯ）、Ｓ１５の処理を繰り返す。ＣＰＵ３１は、印刷データを受信したと判定した場合には（Ｓ１５：ＹＥＳ）、受信した印刷データがラスタデータであるか判定する（Ｓ１７）。具体的には、ＣＰＵ３１は、印刷データを解析し、データ形式を特定することにより、印刷データがラスタデータであるか判定する。
【００５３】
ＣＰＵ３１は、ラスタデータであると判定した場合には（Ｓ１７：ＹＥＳ）、Ｓ２１の処理に進む。ＣＰＵ３１は、ラスタデータではないと判定した場合には（Ｓ１７：ＮＯ）、既存の変換方法に基づき、印刷データをラスタデータに変換する（Ｓ１９）。ＣＰＵ３１は、印刷開始の指示が有るか判定する（Ｓ２１）。印刷開始の指示は、印刷開始を指示する情報である。例えば、ＣＰＵ３１は、操作部３６から印刷開始の指示が入力された場合、又は端末装置２から印刷開始の指示が入力された場合に、印刷開始の指示が入力されたと判定する（Ｓ２１：ＹＥＳ）。
【００５４】
ＣＰＵ３１は、印刷開始の指示がないと判定した場合には（Ｓ２１：ＮＯ）、Ｓ２１の処理を繰り返す。ＣＰＵ３１は、印刷開始の指示が有ると判定した場合には（Ｓ２１：ＹＥＳ）、駆動回路４１〜４４を制御し、印刷データに従って処理媒体に印刷を実施する（Ｓ２３）。ＣＰＵ３１は、Ｓ１の処理に戻る。
【００５５】
＜第一実施形態の主な作用、及び効果＞
上記第一実施形態によれば、印刷装置１は、前処理制御装置として機能し、コードリーダ３５により処理媒体の識別情報を取得する。印刷装置１は、保持する第一テーブル８１を参照し、取得した識別情報に対応する前処理指示を取得する。印刷装置１は、取得した識別情報に対応する印刷データの送信を指示する送信指示を、印刷データを記憶するＨＤＤ６４を有するサーバ３に送信すると共に、識別情報に基づく前処理指示を処理媒体に対し前処理を実施する前処理装置１０に送信する。これにより、印刷装置１は、一度の識別情報の取得により前処理指示を送信し、サーバ３から印刷データを送信させることができる。故に、別々の情報の取得により前処理指示を送信し、サーバ３から印刷データを送信させる場合と比較して、処理工数が減る。
【００５６】
上記第一実施形態の第一メイン処理によれば、印刷装置１は、前処理指示を送信する（Ｓ１３）前に、取得した識別情報に対応する印刷データの送信を指示する送信指示をサーバ３に送信する（Ｓ３）。すなわち、前処理装置１０が処理媒体に対する前処理を完了する前に、印刷装置１は、送信指示をサーバ３に送信する。これにより、前処理装置１０による前処理が完了するまでに印刷装置１が印刷データの取得を完了する可能性が高くなる。故に、前処理の完了後、印刷処理の開始までの待ち時間が生じる可能性が低くなる。
【００５７】
上記第一実施形態によれば、印刷装置１は、取得した識別情報に不実施指示が含まれている場合、不実施指示を含む前処理指示を処理媒体に対し前処理を実施する前処理装置１０に送信する。これにより、印刷装置１は、前処理装置１０に前処理を実施するか否かを通知できる。
【００５８】
上記第一実施形態によれば、印刷装置１は、識別情報に不実施指示が含まれている場合、不実施情報を端末装置２又は前処理装置１０に送信し、前処理を実施しない旨を表示部に表示させる。これにより、印刷装置１は、前処理を実施しない場合なのに、前処理装置１０に処理媒体がセットされてしまう可能性を低減できる。
【００５９】
＜第二実施形態＞
第二実施形態における前処理制御装置は、印刷装置１である。第二実施形態における印刷データを記憶する記憶装置は、サーバ３のＨＤＤ６４である。印刷装置１は、コードリーダ３５により処理媒体の識別情報を取得し、印刷データを記憶するＨＤＤ６４を有するサーバ３に取得した識別情報を含む送信指示を送信する。印刷装置１は、前処理指示を保持する端末装置２、サーバ３、及び前処理装置１０の何れかに識別情報を含む前処理指示要求を送信することにより前処理指示を取得する。
【００６０】
印刷装置１は、取得した前処理指示を処理媒体に対し前処理を実施する前処理装置１０に送信する。すなわち、印刷装置１は、前処理指示を保持する端末装置２、サーバ３、及び前処理装置１０の何れかに識別情報を含む前処理指示要求を送信して取得した前処理指示を送信する。従って、印刷装置１は、識別情報に基づく前処理指示を、処理媒体に対し前処理を実施する前処理装置１０に送信する。前処理指示要求は、識別情報を含み、識別情報に対応する前処理指示の送信を要求する情報である。
【００６１】
印刷装置１、端末装置２、サーバ３、及び前処理装置１０の夫々の電気的構成は、第一実施形態と同じであるので、説明は省略する。但し、第一テーブル８１が端末装置２、サーバ３、及び前処理装置１０の何れかの記憶装置に記憶されている。
【００６２】
＜第二メイン処理＞
図６を参照し、第二メイン処理の流れを説明する。印刷装置１のＣＰＵ３１は、ＲＯＭ３２から第二メイン処理プログラムを読み出し、ＲＡＭ３３をワーキングメモリとして使用し、第二メイン処理を実行する。第二メイン処理は、例えば、印刷装置１の電源がＯＮになったことをトリガとして開始される。第一メイン処理と同じ処理については、第一メイン処理と同じステップ番号を付し説明を省略する。
【００６３】
ＣＰＵ３１は、第一メイン処理と同様にＳ１、及びＳ３の処理を実行後に、第一テーブル８１を保持する端末装置２、サーバ３、及び前処理装置１０の何れかに前処理指示要求を送信する（Ｓ４）。前処理指示要求を受信した端末装置２、サーバ３、及び前処理装置１０の何れかは、第一テーブル８１を参照し、識別情報に対応する前処理指示を特定する。端末装置２、サーバ３、及び前処理装置１０の何れかは、前処理指示要求を送信した印刷装置１に特定した前処理指示を返信する。
【００６４】
ＣＰＵ３１は、前処理指示を受信したか判定する（Ｓ６）。例えば、通信部３９は前処理指示を受信すると、受信した前処理指示をＣＰＵ３１に入力する。ＣＰＵ３１は、前処理指示が入力されたか判定することにより、前処理指示を受信したか判定する。ＣＰＵ３１は、前処理指示を受信していないと判定した場合には（Ｓ６：ＮＯ）、Ｓ６の処理を繰り返す。ＣＰＵ３１は、前処理指示を受信したと判定した場合には（Ｓ６：ＹＥＳ）、第一メイン処理と同様に、Ｓ９〜Ｓ２３の処理を行う。ＣＰＵ３１は、Ｓ１の処理に戻る。
【００６５】
＜第二実施形態の主な作用、及び効果＞
上記第二実施形態によれば、印刷装置１は、前処理制御装置として機能し、コードリーダ３５により処理媒体の識別情報を取得する。印刷装置１は、第一テーブル８１を保持する端末装置２、サーバ３、及び前処理装置１０の何れかに前処理指示要求を送信することにより前処理指示を取得する。印刷装置１は、取得した識別情報に対応する印刷データの送信を指示する送信指示を、印刷データを記憶するＨＤＤ６４を有するサーバ３に送信すると共に、識別情報に基づく前処理指示を処理媒体に対し前処理を実施する前処理装置１０に送信する。これにより、印刷装置１は、一度の識別情報の取得により前処理指示を送信し、サーバ３から印刷データを送信させることができる。故に、別々の情報の取得により前処理指示を送信し、サーバ３から印刷データを送信させる場合と比較して、処理工数が減る。
【００６６】
上記第二実施形態によれば、印刷装置１は、前処理指示を送信する前に、取得した識別情報に対応する印刷データの送信を指示する送信指示をサーバ３に送信する。すなわち、前処理装置１０が処理媒体に対する前処理を完了する前に、印刷装置１は、送信指示をサーバ３に送信する。これにより、前処理装置１０による前処理が完了するまでに印刷装置１が印刷データの取得を完了する可能性が高くなる。故に、前処理の完了後、印刷処理の開始までの待ち時間が生じる可能性が低くなる。
【００６７】
上記第二実施形態によれば、印刷装置１は、取得した識別情報に不実施指示が含まれている場合、不実施指示を含む前処理指示を処理媒体に対し前処理を実施する前処理装置１０に送信する。これにより、印刷装置１は、前処理装置１０に前処理を実施するか否かを通知できる。
【００６８】
上記第二実施形態によれば、印刷装置１は、識別情報に不実施指示が含まれている場合、不実施情報を端末装置２又は前処理装置１０に送信し、前処理を実施しない旨を表示部に表示させる。これにより、印刷装置１は、前処理を実施しない場合なのに、前処理装置１０に処理媒体がセットされてしまう可能性を低減できる。
【００６９】
＜第三実施形態＞
第三実施形態における前処理制御装置は、印刷装置１である。第三実施形態における印刷データを記憶する記憶装置は、サーバ３のＨＤＤ６４である。印刷装置１は、コードリーダ３５により処理媒体の識別情報を取得し、印刷データを記憶するＨＤＤ６４を有するサーバ３に取得した識別情報を含む送信指示を送信する。印刷装置１は、処理媒体に対し前処理を実施する前処理装置１０に識別情報を含む第一取得指示を送信する。すなわち、印刷装置１は、前処理を実施する前処理装置１０に前処理指示を取得させる。第一取得指示は、前処理指示の取得を指示する情報である。
【００７０】
印刷装置１、端末装置２、サーバ３、及び前処理装置１０の夫々の電気的構成は、第一実施形態と同じであるので、説明は省略する。但し、第一テーブル８１が印刷装置１、端末装置２、サーバ３、及び前処理装置１０の何れかの記憶装置に記憶されている。
【００７１】
＜第三メイン処理＞
図７を参照し、第三メイン処理の流れを説明する。印刷装置１のＣＰＵ３１は、ＲＯＭ３２から第三メイン処理プログラムを読み出し、ＲＡＭ３３をワーキングメモリとして使用し、第三メイン処理を実行する。第三メイン処理は、例えば、印刷装置１の電源がＯＮになったことをトリガとして開始される。第一メイン処理と同じ処理については、第一メイン処理と同じステップ番号を付し説明を省略する。
【００７２】
ＣＰＵ３１は、第一メイン処理と同様に、Ｓ１、及びＳ３の処理を実行後に、識別情報を含む第一取得指示を処理媒体に対し前処理を実施する前処理装置１０に送信する（Ｓ１４）。第一取得指示を受信した前処理装置１０は、第一テーブル８１を保持する場合には、第一テーブル８１を参照し、識別情報に対応する前処理指示を取得する。前処理装置１０は、第一テーブル８１を保持しない場合には、第一テーブル８１を保持する印刷装置１、端末装置２、及びサーバ３の何れかに識別情報を含む前処理指示要求を送信することにより、識別情報に対応する前処理指示を取得する。ＣＰＵ３１は、第一メイン処理と同様に、Ｓ１５〜Ｓ２３の処理を実行する。ＣＰＵ３１は、Ｓ１の処理に戻る、
【００７３】
＜第三実施形態の主な作用、及び効果＞
上記第三実施形態によれば、印刷装置１は、前処理制御装置として機能し、コードリーダ３５により処理媒体の識別情報を取得する。印刷装置１は、取得した識別情報に対応する印刷データの送信を指示する送信指示を、印刷データを記憶するＨＤＤ６４を有するサーバ３に送信すると共に、処理媒体に対し前処理を実施する前処理装置１０に第一取得指示を送信する。これにより、印刷装置１は、一度の識別情報の取得により前処理指示を取得させ、サーバ３から印刷データを送信させることができる。故に、別々の情報の取得により前処理指示を取得させ、サーバ３から印刷データを送信させる場合と比較して、処理工数が減る。
【００７４】
上記第三実施形態によれば、印刷装置１は、第一取得指示を送信する前に、取得した識別情報に対応する印刷データの送信を指示する送信指示をサーバ３に送信する。すなわち、前処理装置１０が処理媒体に対する前処理を完了する前に、印刷装置１は、送信指示をサーバ３に送信する。これにより、前処理装置１０による前処理が完了するまでに印刷装置１が印刷データの取得を完了する可能性が高くなる。故に、前処理の完了後、印刷処理の開始までの待ち時間が生じる可能性が低くなる。
【００７５】
＜第四実施形態＞
第四実施形態における前処理制御装置は前処理装置１０である。第四実施形態における印刷データを記憶する記憶装置は、サーバ３のＨＤＤ６４である。前処理装置１０は、後述するコードリーダ２１により処理媒体の識別情報を取得する。前処理装置１０は、保持する第一テーブル８１から取得した識別情報に基づき前処理指示を取得すると共に、識別情報を含む送信指示をサーバ３に送信する。
【００７６】
端末装置２、及びサーバ３の夫々の電気的構成は、第一実施形態と同じであるので、説明は省略する。但し、図８に示す様に、印刷装置１がコードリーダ３５を備える代わりに、前処理装置１０がコードリーダ２１を備える。印刷装置１、及び前処理装置１０の他の電気的構成は第一実施形態と同じであるので、説明は省略する。また、第一テーブル８１が前処理装置１０のフラッシュメモリ１４に記憶されている。
【００７７】
＜第四メイン処理＞
図９を参照し、第四メイン処理の流れを説明する。前処理装置１０のＣＰＵ１１は、ＲＯＭ１２から第四メイン処理プログラムを読み出し、ＲＡＭ１３をワーキングメモリとして使用し、第四メイン処理を実行する。第四メイン処理は、例えば、前処理装置１０の電源がＯＮになったことをトリガとして開始される。
【００７８】
ＣＰＵ１１は、識別情報を取得したか判定する（Ｓ３１）。具体的には、コードリーダ２１により読み取られた処理媒体の識別情報がＣＰＵ１１に入力されたか判定することにより、ＣＰＵ１１は、識別情報を取得したか判定する。ＣＰＵ１１は、識別情報を取得していないと判定した場合には（Ｓ３１：ＮＯ）、Ｓ３１の処理を繰り返す。
【００７９】
ＣＰＵ１１は、識別情報を取得したと判定した場合には（Ｓ３１：ＹＥＳ）、例えば、通信部２５を介して、取得した識別情報を含む送信指示を、印刷データを記憶するＨＤＤ６４を有するサーバ３に送信する（Ｓ３３）。Ｓ３３の処理は、第一メイン処理のＳ３の処理と同じである。従って、送信指示を受信したサーバ３が行う処理の説明は省略する。ＣＰＵ１１は、取得した識別情報に基づき前処理指示を特定する（Ｓ３５）。具体的には、ＣＰＵ１１は、第一テーブル８１の識別情報欄をトレースし、取得した識別情報と一致する識別情報を特定する。ＣＰＵ１１は、第一テーブル８１において特定した識別情報に対応する前処理指示を特定する。
【００８０】
ＣＰＵ１１は、第一テーブル８１から特定した前処理指示を取得する（Ｓ３７）。ＣＰＵ１１は、取得した識別情報が不実施指示を含んでいるか判定する（Ｓ３９）。ＣＰＵ１１は、不実施指示を含んでいると判定した場合には（Ｓ３９：ＹＥＳ）、例えば、通信部２５を介して、ネットワーク４を介して接続されている印刷装置１又は端末装置２に不実施情報を送信する（Ｓ４１）。ＣＰＵ１１は、Ｓ３１の処理に戻る。不実施情報を受信した印刷装置１又は端末装置２は、表示部に前処理を実施しない旨を表示する。
【００８１】
ＣＰＵ１１は、不実施指示を含んでいないと判定した場合には（Ｓ３９：ＮＯ）、取得した前処理指示に従って、処理媒体に対し前処理を実施する（Ｓ４３）。ＣＰＵ１１は、Ｓ３１の処理に戻る。
【００８２】
＜第四実施形態の主な作用、及び効果＞
上記第四実施形態によれば、前処理装置１０は、前処理制御装置として機能し、コードリーダ２１により処理媒体の識別情報を取得する。前処理装置１０は、保持している第一テーブル８１を参照し、取得した識別情報に対応する前処理指示を取得する。前処理装置１０は、取得した識別情報に対応する印刷データの送信を指示する送信指示を、印刷データを記憶するＨＤＤ６４を有するサーバ３に送信する。これにより、前処理装置１０は、一度の識別情報の取得により前処理指示を取得し、サーバ３から印刷データを送信させることができる。故に、別々の情報の取得により前処理指示を取得し、サーバ３から印刷データを送信させる場合と比較して、処理工数が減る。
【００８３】
上記第四実施形態によれば、前処理装置１０は、前処理指示を取得する前に、取得した識別情報に対応する印刷データの送信を指示する送信指示をサーバ３に送信する。すなわち、前処理装置１０は、処理媒体に対する前処理を完了する前に、送信指示をサーバ３に送信する。これにより、前処理装置１０による前処理が完了するまでに印刷装置１が印刷データの取得を完了する可能性が高くなる。故に、前処理の完了後、印刷処理の開始までの待ち時間が生じる可能性が低くなる。
【００８４】
上記第四実施形態によれば、前処理装置１０は、識別情報に不実施指示が含まれている場合、不実施情報を印刷装置１又は端末装置２に送信し、前処理を実施しない旨を表示部に表示させる。これにより、前処理装置１０は、前処理を実施しない場合なのに、処理媒体がセットされてしまう可能性を低減できる。
【００８５】
上記第四実施形態によれば、前処理装置１０は、識別情報に不実施指示が含まれている場合、処理媒体に対し前処理を実施しない。これにより、前処理装置１０は、識別情報に不実施指示が含まれているか否かにより、処理媒体に対し前処理の実施をするか判定できる。従って、前処理装置１０は、前処理を必要としない処理媒体に対し前処理を実施してしまう等の人為的なミスが生じる可能性を低減できる。
【００８６】
＜第五実施形態＞
第五実施形態における前処理制御装置は、前処理装置１０である。第五実施形態における印刷データを記憶する記憶装置は、サーバ３のＨＤＤ６４である。前処理装置１０は、コードリーダ２１により処理媒体の識別情報を取得する。前処理装置１０は、保持する第一テーブル８１から識別情報に基づき前処理指示を取得する。前処理装置１０は、識別情報を含む第二取得指示を処理媒体に対し印刷を実施する印刷装置１に送信する。第二取得指示は、印刷データの取得を指示する情報である。
【００８７】
印刷装置１、端末装置２、サーバ３、及び前処理装置１０の夫々の電気的構成は、第四実施形態と同じであるので、説明は省略する。
【００８８】
＜第五メイン処理＞
図１０（Ａ）を参照し、第五メイン処理の流れを説明する。前処理装置１０のＣＰＵ１１は、ＲＯＭ１２から第五メイン処理プログラムを読み出し、ＲＡＭ１３をワーキングメモリとして使用し、第五メイン処理を実行する。第五メイン処理は、例えば、前処理装置１０の電源がＯＮになったことをトリガとして開始される。第四メイン処理と同じ処理については、第四メイン処理と同じステップ番号を付し説明を省略する。
【００８９】
ＣＰＵ１１は、第四メイン処理と同様に、Ｓ３１の処理を実行後に、識別情報を含む第二取得指示を処理媒体に対し印刷を実施する印刷装置１に送信する（Ｓ３２）。ＣＰＵ１１は、第四メイン処理と同様に、Ｓ３５〜Ｓ３９、及びＳ４３の処理を実行する。Ｓ３９の処理において、ＣＰＵ１１は、識別情報に不実施指示が含まれていると判定した場合には（Ｓ３９：ＹＥＳ）、前処理は不実施である旨を表示部２３に表示させる（Ｓ４２）。ＣＰＵ１１は、Ｓ３１の処理に戻る。
【００９０】
＜取得処理＞
図１０（Ｂ）を参照し、取得処理の流れを説明する。印刷装置１のＣＰＵ３１は、ＲＯＭ３２から取得処理プログラムを読み出し、ＲＡＭ３３をワーキングメモリとして使用し、取得処理を実行する。取得処理は、例えば、印刷装置１の電源がＯＮになったことをトリガとして開始される。
【００９１】
ＣＰＵ３１は、第二取得指示を受信したか判定する（Ｓ５１）。例えば、通信部３９は、第二取得指示を受信した場合、受信した第二取得指示をＣＰＵ３１に入力する。ＣＰＵ３１は、第二取得指示が入力されたか判定することにより、第二取得指示を受信したか判定する。ＣＰＵ３１は、第二取得指示を受信していないと判定した場合には（Ｓ５１：ＮＯ）、Ｓ５１の処理を繰り返す。
【００９２】
ＣＰＵ３１は、第二取得指示を受信したと判定した場合には（Ｓ５１：ＹＥＳ）、識別情報を含む送信指示を、印刷データを記憶するＨＤＤ６４を有するサーバ３に送信する（Ｓ５３）。Ｓ５３の処理は、第一メイン処理のＳ１の処理と同じである。従って、送信指示を受信したサーバ３が実行する処理の説明は省略する。ＣＰＵ３１は、Ｓ５３の処理で、印刷データの送信を指示する送信指示をサーバ３に送信しているので、印刷データを受信したか判定する（Ｓ５５）。Ｓ５５の処理は、第一メイン処理のＳ１５の処理と同じ処理なので説明は省略する。ＣＰＵ３１は、印刷データを受信していないと判定した場合には（Ｓ５５：ＮＯ）、Ｓ５５の処理を繰り返す。
【００９３】
ＣＰＵ３１は、印刷データを受信したと判定した場合には（Ｓ５５：ＹＥＳ）、受信した印刷データがラスタデータであるか判定する（Ｓ５７）。Ｓ５７の処理は、第一メイン処理のＳ１７の処理と同じ処理なので説明は省略する。ＣＰＵ３１は、ラスタデータであると判定した場合には（Ｓ５７：ＹＥＳ）、Ｓ６１の処理に進む。ＣＰＵ３１は、ラスタデータではないと判定した場合には（Ｓ５７：ＮＯ）、既存の変換方法に基づき、印刷データをラスタデータに変換する（Ｓ５９）。
【００９４】
ＣＰＵ３１は、印刷開始の指示が有るか判定する（Ｓ６１）。Ｓ６１の処理は、第一メイン処理のＳ２１の処理と同じ処理なので説明は省略する。ＣＰＵ３１は、印刷開始の指示がないと判定した場合には（Ｓ６１：ＮＯ）、Ｓ６１の処理を繰り返す。ＣＰＵ３１は、印刷開始の指示が有ると判定した場合には（Ｓ６１：ＹＥＳ）、駆動回路４１〜４４を制御し、印刷データに従って処理媒体に印刷を実施する（Ｓ６３）。ＣＰＵ３１は、Ｓ５１の処理に戻る。
【００９５】
＜第五実施形態の主な作用、及び効果＞
上記第五実施形態によれば、前処理装置１０は、前処理制御装置として機能し、コードリーダ２１により処理媒体の識別情報を取得する。前処理装置１０は、保持する第一テーブル８１を参照し、取得した識別情報に対応する前処理指示を取得する。前処理装置１０は、取得した識別情報を含む第二取得指示を処理媒体に対し印刷を実施する印刷装置１に送信する。これにより、前処理装置１０は、一度の識別情報の取得により前処理指示を取得し、印刷データを記憶するＨＤＤ６４を有するサーバ３から印刷データを送信させることができる。故に、別々の情報の取得により前処理指示を取得し、サーバ３から印刷データを送信させる場合と比較して、処理工数が減る。
【００９６】
上記第五実施形態によれば、前処理装置１０は、前処理指示を取得する前に、取得した識別情報を含む第二取得指示を処理媒体に対し印刷を実施する印刷装置１に送信する。すなわち、前処理装置１０は、処理媒体に対する前処理を完了する前に、第二取得指示を処理媒体に対し印刷を実施する印刷装置１に送信する。これにより、前処理装置１０による前処理が完了するまでに印刷装置１が印刷データの取得を完了する可能性が高くなる。故に、前処理の完了後、印刷処理の開始までの待ち時間が生じる可能性が低くなる。
【００９７】
上記第五実施形態によれば、前処理装置１０は、識別情報に不実施指示が含まれている場合、前処理を実施しない旨を表示部２３に表示する。これにより、前処理装置１０は、前処理を実施しない場合なのに、処理媒体がセットされてしまう可能性を低減できる。
【００９８】
上記第五実施形態によれば、前処理装置１０は、識別情報に不実施指示が含まれている場合、処理媒体に対し前処理を実施しない。これにより、前処理装置１０は、識別情報に不実施指示が含まれているか否かにより、処理媒体に対し前処理の実施をするか判定できる。従って、前処理装置１０は、前処理を必要としない処理媒体に対し前処理を実施してしまう等の人為的なミスが生じる可能性を低減できる。
【００９９】
＜第六実施形態＞
第六実施形態における前処理制御装置は、端末装置２である。第六実施形態における印刷データを記憶する記憶装置は、サーバ３のＨＤＤ６４である。端末装置２は、後述するコードリーダ６０により処理媒体の識別情報を取得する。端末装置２は、保持する第一テーブル８１から識別情報に基づき前処理指示を取得すると共に、識別情報を含む送信指示を、印刷データを記憶するＨＤＤ６４を有するサーバ３に送信する。端末装置２は、取得した前処理指示を処理媒体に対し前処理を実施する前処理装置１０に送信する。すなわち、端末装置２は、識別情報に基づき取得した前処理指示を送信するので、識別情報に基づく前処理指示を処理媒体に対し前処理を実施する前処理装置１０に送信する。
【０１００】
サーバ３、及び前処理装置１０の夫々の電気的構成は、第一実施形態と同じであるので、説明は省略する。但し、図１１に示す様に、印刷装置１がコードリーダ３５を備える代わりに、端末装置２がコードリーダ６０を備える。印刷装置１、及び端末装置２の他の電気的構成は第一実施形態と同じであるので、説明は省略する。また、第一テーブル８１が端末装置２の記憶装置５４に記憶されている。
【０１０１】
＜第六メイン処理＞
図１２を参照し、第六メイン処理の流れを説明する。端末装置２のＣＰＵ５１は、記憶装置５４から第六メイン処理プログラムを読み出し、ＲＡＭ５３をワーキングメモリとして使用し、第六メイン処理を実行する。第六メイン処理は、例えば、端末装置２の電源がＯＮになったことをトリガとして開始される。
【０１０２】
ＣＰＵ５１は、識別情報を取得したか判定する（Ｓ７１）。具体的には、コードリーダ６０により読み取られた処理媒体の識別情報がＣＰＵ５１に入力されたか判定することにより、ＣＰＵ５１は、識別情報を取得したか判定する。ＣＰＵ５１は、識別情報を取得していないと判定した場合には（Ｓ７１：ＮＯ）、Ｓ７１の処理を繰り返す。
【０１０３】
ＣＰＵ５１は、識別情報を取得したと判定した場合には（Ｓ７１：ＹＥＳ）、例えば、通信部５８を介して、取得した識別情報を含む送信指示を、印刷データを記憶するＨＤＤ６４を有するサーバ３に送信する（Ｓ７３）。Ｓ７３の処理は第一メイン処理のＳ３の処理と同じである。従って、送信指示を受信したサーバ３が実行する処理の説明は省略する。ＣＰＵ５１は、取得した識別情報に基づき前処理指示を特定する（Ｓ７５）。具体的には、ＣＰＵ５１は、保持する第一テーブル８１の識別情報欄をトレースし、取得した識別情報と一致する識別情報を特定する。ＣＰＵ５１は、第一テーブル８１において特定した識別情報に対応する前処理指示を特定する。
【０１０４】
ＣＰＵ５１は、第一テーブル８１から特定した前処理指示を取得する（Ｓ７７）。ＣＰＵ５１は、取得した識別情報が不実施指示を含んでいるか判定する（Ｓ７９）。ＣＰＵ５１は、不実施指示を含んでいると判定した場合には（Ｓ７９：ＹＥＳ）、例えば、通信部５８を介して、ネットワーク４を介して接続されている印刷装置１又は前処理装置１０に不実施情報を送信する（Ｓ８１）。不実施情報を受信した印刷装置１又は前処理装置１０は、表示部に前処理を実施しない旨を表示する。ＣＰＵ５１は、不実施指示を含む前処理指示を処理媒体に対し前処理を実施する前処理装置１０に送信する（Ｓ８２）。不実施指示を含む前処理指示を受信した前処理装置１０は、前処理を実施しない。ＣＰＵ５１は、Ｓ７１の処理に進む。
【０１０５】
ＣＰＵ５１は、不実施指示を含んでいないと判定した場合には（Ｓ７９：ＮＯ）、例えば、通信部５８を介して、不実施指示を含まない前処理指示を処理媒体に対し前処理を実施する前処理装置１０に送信する（Ｓ８３）。ＣＰＵ５１は、Ｓ７１の処理に戻る。
【０１０６】
＜第六実施形態の主な作用、及び効果＞
上記第六実施形態によれば、端末装置２は、前処理制御装置として機能し、コードリーダ６０により処理媒体の識別情報を取得する。端末装置２は、第一テーブル８１を参照し、取得した識別情報に対応する前処理指示を取得する。端末装置２は、取得した識別情報に対応する印刷データの送信を指示する送信指示をサーバ３に送信すると共に、識別情報に基づく前処理指示を処理媒体に対し前処理を実施する前処理装置１０に送信する。これにより、端末装置２は、一度の識別情報の取得により前処理指示を送信し、サーバ３から印刷データを送信させることができる。故に、別々の情報の取得により前処理指示を送信し、サーバ３から印刷データを送信させる場合と比較して、処理工数が減る。
【０１０７】
上記第六実施形態によれば、端末装置２は、前処理指示を送信する前に、取得した識別情報に対応する印刷データの送信を指示する送信指示をサーバ３に送信する。すなわち、前処理装置１０が処理媒体に対する前処理を完了する前に、端末装置２は、送信指示をサーバ３に送信する。これにより、前処理装置１０による前処理が完了するまでに印刷装置１が印刷データの取得を完了する可能性が高くなる。故に、前処理の完了後、印刷処理の開始までの待ち時間が生じる可能性が低くなる。
【０１０８】
上記第六実施形態によれば、端末装置２は、取得した識別情報に不実施指示が含まれている場合、不実施指示を含む前処理指示を処理媒体に対し前処理を実施する前処理装置１０に送信する。これにより、端末装置２は、前処理装置１０に前処理を実施するか否かを通知できる。
【０１０９】
上記第六実施形態によれば、端末装置２は、識別情報に不実施指示が含まれている場合、不実施情報を印刷装置１又は前処理装置１０に送信し、前処理を実施しない旨を表示部に表示させる。これにより、端末装置２は、前処理を実施しない場合なのに、前処理装置１０に処理媒体がセットされてしまう可能性を低減できる。
【０１１０】
＜変形例＞
上記第四実施形態〜第六実施形態において、前処理制御装置として機能する前処理装置１０又は端末装置２は、第一テーブル８１を保持しなくても良い。この場合、前処理制御装置として機能する前処理装置１０又は端末装置２は、第一テーブル８１を保持するサーバ３等に前処理指示要求を送信することにより前処理指示を取得しても良い。
【０１１１】
上記第六実施形態において、端末装置２は、処理媒体に対し前処理を実施する前処理装置１０に第一取得指示を送信し、前処理指示は、前処理装置１０により第一テーブル８１を保持する印刷装置１、端末装置２、及びサーバ３の何れかから取得させても良い。
【０１１２】
上記第四実施形態、及び第六実施形態において、前処理制御装置として機能する前処理装置１０又は端末装置２は、処理媒体に対し印刷を実施する印刷装置１に第二取得指示を送信し、印刷データは、印刷装置１によりサーバ３から取得させても良い。
【０１１３】
上記第一実施形態、第二実施形態、第四実施形態、及び第六実施形態において、前処理制御装置として機能する印刷装置１、前処理装置１０、又は端末装置２は、識別情報に不実施指示が含まれている場合、自装置が備える表示部に前処理は不実施である旨を表示しても良い。
【０１１４】
上記第一実施形態〜第六実施形態において、印刷装置１、端末装置２、及び前処理装置１０の何れかが第三テーブル８３を保持しても良い。すなわち、印刷装置１、端末装置２、及び前処理装置１０の何れかの記憶装置が印刷データを記憶しても良い。この場合、前処理制御装置は、印刷データを記憶する印刷装置１、端末装置２、及び前処理装置１０の何れかに送信指示を送れば良い。
【０１１５】
前処理制御装置として機能する印刷装置１、端末装置２、又は前処理装置１０は、自装置以外が第一テーブル８１を保持する場合、処理媒体に対し前処理を実施する前処理装置１０に、前処理指示を保持する装置から前処理指示を送信させる様にしても良い。この場合、前処理制御装置として機能する印刷装置１、端末装置２、又は前処理装置１０は、第二送信指示を、前処理指示を保持する装置に送信すれば良い。第二送信指示は、識別情報を含み、識別情報に対応する前処理指示の送信を指示する情報である。
【０１１６】
上記第一実施形態〜第六実施形態において、前処理制御装置として機能する印刷装置１、端末装置２、又は前処理装置１０が夫々コードリーダ３５，６０，２１を備えている。しかしながら、前処理制御装置は、コードリーダを備えていなくても良い。図１３は、前処理制御装置として機能する端末装置２Ｂの代わりに端末装置２Ａがコードリーダ６０を備える例を示す図である。端末装置２Ａは、コードリーダ６０により処理媒体の識別情報を取得し、取得した識別情報を、ネットワーク４又はシリアルケーブルを介して、前処理制御装置として機能する端末装置２Ｂに送信する。すなわち、前処理制御装置として機能する端末装置２Ｂは、端末装置２Ａから識別情報を取得する。コードリーダを備えない前処理制御装置は、印刷装置１、又は前処理装置１０であっても良い。また、コードリーダを備える前処理制御装置として機能しない装置は、印刷装置１、又は前処理装置１０であっても良い。
【０１１７】
前処理制御装置は、送信指示をサーバ３に送信する前に、前処理指示を処理媒体に対し前処理を実行する前処理装置１０に送信しても良い。また、前処理制御装置は、送信指示をサーバ３に送信する前に、第一取得指示を処理媒体に対し前処理を実行する前処理装置１０に送信しても良い。また、前処理制御装置は、送信指示をサーバ３に送信する前に、前処理指示を保持する装置に、処理媒体に対し前処理を実行する前処理装置１０に識別情報に対応する前処理指示を送信させる要求を送信しても良い。
【０１１８】
メイン処理等を実行する為のプログラム等は、インターネット上のサーバ装置が有するディスク装置等に記憶し、印刷装置１、端末装置２、及び前処理装置１０は各種のプログラムをダウンロード等しても良い。
【０１１９】
実施形態または変形例に応じて、印刷装置１、端末装置２、前処理装置１０、及びサーバ３は、ＲＯＭ、ＲＡＭ以外の他の種類の記憶装置を利用しても良い。例えば、印刷装置１、端末装置２、前処理装置１０、及びサーバ３は、ＣＡＭ(Content Addressable Memory)、ＳＲＡＭ(Static Random Access Memory)、ＳＤＲＡＭ(Synchronous Dynamic Random Access Memory)等の記憶装置を有しても良い。
【０１２０】
実施形態または変形例に応じて、印刷装置１、端末装置２、前処理装置１０、及びサーバ３の電気的構成は図２等と異なっていても良く、図２等に例示した規格・種類以外のその他のハードウェアが印刷装置１、端末装置２、前処理装置１０、及びサーバ３に適用できる。
【０１２１】
例えば、図２等に示す印刷装置１、端末装置２、前処理装置１０、及びサーバ３の制御部は、ハードウェア回路で実現しても良い。具体的には、ＣＰＵ１１等の少なくとも一方の代わりに、ＦＰＧＡ(Field Programmable Gate Array)等のリコンフィギュラブル回路、又はＡＳＩＣ(Application Specific Integrated Circuit)等で、制御部は実現しても良い。ＣＰＵ１１等とハードウェア回路の双方で、制御部は実現しても良い。
【０１２２】
＜その他＞
コードリーダ２１，３５，６０、操作部２２，３６，５５、入出力部２４，３８，５７、又は通信部２５，３９，５８は、本発明の「取得部」の一例である。フラッシュメモリ１４、記憶装置３４、記憶装置５４、及びＨＤＤ６４は、本発明の「記憶装置」の一例である。識別情報に対応する印刷データは、本発明の「特定印刷データ」の一例である。入出力部２４，３８，５７、又は通信部２５，３９，５８は、本発明の「第一送信部」の一例である。入出力部２４，３８，５７、又は通信部２５，３９，５８は、本発明の「第二送信部」の一例である。前処理装置１０は、本発明の「前処理部」の一例である。ＣＰＵ１１，３１，５１は、本発明の「表示制御手段」の一例である。不実施指示は、本発明の「前処理を実施するか否かを示す情報」の一例である。ＣＰＵ１１，３１，５１は、本発明の「コンピュータ」の一例である。
【符号の説明】
【０１２３】
１        印刷装置
２        端末装置
３        サーバ
１０      前処理装置
１１      ＣＰＵ
１４      フラッシュメモリ
２１      コードリーダ
２２      操作部
２４      入出力部
２５      通信部
３１      ＣＰＵ
３４      記憶装置
３５      コードリーダ
３６      操作部
３８      入出力部
３９      通信部
５１      ＣＰＵ
５４      記憶装置
５５      操作部
５７      入出力部
５８      通信部
６０      コードリーダ
６４      ＨＤＤ
【図１】
2019179537.tif 000003
【図２】
2019179537.tif 000004
【図３】
2019179537.tif 000005
【図４】
2019179537.tif 000006
【図５】
2019179537.tif 000007
【図６】
2019179537.tif 000008
【図７】
2019179537.tif 000009
【図８】
2019179537.tif 000010
【図９】
2019179537.tif 000011
【図１０】
2019179537.tif 000012
【図１１】
2019179537.tif 000013
【図１２】
2019179537.tif 000014
【図１３】
2019179537.tif 000015